(57)【要約】      （修正有）【課題】着用者である老齢の女性がオシャレに着用できる、老婦人用のレース付ズロース型下着を提供する。【解決手段】肌触りの優しい、美観に優れた柄や色合いの素材から作成される。前身頃部１１１と前身頃部１１１に延設される後ろ身頃部１１２を脇線１１６から外れた位置で縫合し、該縫合線上に装飾用にレース部１３０を設置し、実用性と美観性を兼ね備える。【選択図】図１
0003153085.tif 000002
【実用新案登録請求の範囲】
【請求項１】
婦人が着用するズロース型の下着であって、
一対の脚開口部およびウエスト開口部を備え、前身頃部および後ろ身頃部を有するズロース本体部と、前記ズロース本体部の股間部の内面に位置する股間被覆部と、レース部と、を有し、
前記後ろ身頃部は前記前身頃部に延設され、前記本体部の前記一対の脚開口部およびウエスト開口部以外の前身頃部側の端は、脇線と前身頃中心線の間の位置（以下「前中間線」ともいう）に配置され、
前記本体部の前記一対の脚開口部およびウエスト開口部以外の後ろ身頃部側の端は、前記前中間線の位置に配置され、
前記前身頃部と後ろ身頃部は、前記前中間線の位置で縫合されることにより接合され、
前記レース部は、前記前身頃部と後ろ身頃部の該接合部分を覆い隠すとともに装飾用に、前記接合部分の表面に設置され、
実用性と美観性を兼ね備えていることを特徴とする老婦人用ズロース型の下着。
【請求項２】
請求項１に記載の老婦人用ズロース型の下着において、
前記本体部は、美観性と吸水性に富む素材で作成されていることを特徴とする老婦人用ズロース型の下着。
【請求項３】
請求項１または請求項２に記載の老婦人用ズロース型の下着において、
前記本体部の前記一対の脚開口部および／またはウエスト開口部は、中にゴムを通して開口部の大きさを調整することを可能とするためのゴム通し部を有することを特徴とする老婦人用ズロース型の下着。
【考案の詳細な説明】
【技術分野】
【０００１】
本考案は、実用性と美観性に優れた、老婦人用のレース付ズロース型下着に関する。
【背景技術】
【０００２】
近年、生活水準と医療の向上に伴い、平均寿命は延び、元気な老人の数が増加している。とりわけ中高年の女性の場合は、豊かで平穏な老後の生活の中で、オシャレな身だしなみを心がけて生活を楽しみたいと願う人は多い。
【０００３】
そのため老婦人用の衣服に関しては、種々のデザインのものが作成され、老婦人を楽しませている。しかし、老婦人用肌着に関しては、肌に優しい等の着用感を優先させたものが多く、オシャレなものは少ない。ヤング層やミドル層の婦人肌着の場合には、色合い、柄、デザイン、材質等、豊富な選択肢があって女性の気持ちを豊かにさせるが、老婦人用肌着の場合には、特にズロースに関しては、柄や色合い等に工夫の施されたオシャレなものはほとんどなく、実用性のみを追求した下着が多いのが現状である。
【０００４】
従って、着用時の実用性とともにオシャレな外観を有したズロースがあれば、老婦人が着用時に豊かな気持ちを持つことができ、心身に好ましい影響を与えることができて有用である。
【０００５】
そこで考案者は、実用性と美観性を兼ね備えた、オシャレな外観をもつ老婦人用ズロースを考案した。
【先行技術文献】
【特許文献】
【０００６】
【特許文献１】特許第４０１９０３６号
【考案の概要】
【考案が解決しようとする課題】
【０００７】
本考案は、着用時の実用性と美観性に優れた、老人の肌に優しい素材からなる老婦人用のズロース型下着を提供することを目的とする。
【課題を解決するための手段】
【０００８】
請求項１に記載された考案は、婦人が着用するズロース型の下着であって、
一対の脚開口部およびウエスト開口部を備え、前身頃部および後ろ身頃部を有するズロース本体部と、前記ズロース本体部の股間部の内面に位置する股間被覆部と、レース部と、を有し、
前記後ろ身頃部は前記前身頃部に延設され、前記本体部の前記一対の脚開口部およびウエスト開口部以外の前身頃部側の端は、脇線と前身頃中心線の間の位置（以下「前中間線」ともいう）に配置され、
前記本体部の前記一対の脚開口部およびウエスト開口部以外の後ろ身頃部側の端は、前記前中間線の位置に配置され、
前記前身頃部と後ろ身頃部は、前記前中間線の位置で縫合されることにより接合され、
前記レース部は、前記前身頃部と後ろ身頃部の該接合部分を覆い隠すとともに装飾用に、前記接合部分の表面に設置され、
実用性と美観性を兼ね備えていることを特徴とする。
【０００９】
請求項２に記載された考案は、請求項１に記載の老婦人用ズロース型の下着に係り、
前記本体部は、美観性と吸水性に富む素材で作成されていることを特徴とする。
【００１０】
請求項３に記載された考案は、請求項１または請求項２に記載の老婦人用ズロース型の下着に係り、
前記本体部の前記一対の脚開口部および／またはウエスト開口部は、中にゴムを通して開口部の大きさを調整することを可能とするためのゴム通し部を有することを特徴とする。
【考案の効果】
【００１１】
本考案による老婦人用ズロース型下着によれば、着用者である老婦人にとって穿き心地が良く実用的であり、また前身頃部と後ろ身頃部を接合する縫合部分にレースを設置されることにより、美観性に優れる。
【図面の簡単な説明】
【００１２】
【図１】本考案の実施の形態１に係る老婦人用ズロース型下着の構成を示す説明用概略正面図である。
【図２】本考案の実施の形態１に係る老婦人用ズロース型下着の構成を示す説明用概略背面図である。
【図３】本考案の実施の形態１に係る老婦人用ズロース型下着の構成を示す説明用簡易展開図である。
【考案を実施するための形態】
【００１３】
老婦人用のズロース型下着であって、前身頃部と後ろ身頃部を接合する縫合部分が脇線より内側の前身ごろ側に設置されることにより穿き心地が良く、また該接合部分の表面にレースを設置されることにより美観に優れ、実用性と美観性を兼ね備える老婦人用のズロース型下着に係るものである。
【実施例１】
【００１４】
図１は、本考案に係る老婦人用ズロース型下着の構成を示す説明用概略正面図である。
【００１５】
図１に示された本考案に係る老婦人用ズロース型下着は、一対の脚開口部およびウエスト開口部と、前身頃部と該前身頃部に延設される後ろ身頃部を有するズロース本体部と、ズロース本体部の股間部分の内面に設置される股間被覆部と、前身頃部と後ろ身頃部を接合する縫合部分を覆い隠すために設置されるレース部と、を有する。
【００１６】
本考案のズロース型下着の特徴は、前身頃部と後ろ身頃部を接合する縫合部分を脇線から外して設置されることにより穿き心地が良く、また該接合部分の表面にレースを設置することにより美観に優れ、実用性と美観性を兼ね備え、着用者である老婦人にやさしい下着であることに特徴がある。
【００１７】
図１において、１１０はズロース本体部であり、１２０はズロース本体部の股間部分の内面に設置される股間被覆部であり、１３０はレース部である。
【００１８】
ズロース本体部１１０は、前身頃部１１１と該前身頃部に延設される後ろ身頃部１１２（図２に示される）と、一対の脚開口部１１３と、ウエスト開口部１１４と、を有する。本考案のズロース型下着の特徴は、前身頃部１１１と後ろ身頃部１１２の縫合部分が両脇線上にはこず、脇線から外れて前身ごろ側の１箇所に位置することにあり、そのため着用者（主に老婦人）にとって脇腹に縫合の縫い目が食い込むことがないため穿き心地が良い。
【００１９】
前身頃部の後ろ身頃部が延設されていない側の端１１５は、着用者の脇線ではなく、脇線１１６と前身頃中心線１１７の間の位置１１８（以下「前中間線」ともいう）に配置される。
図１において、前身ごろ端１１５は前中間線１１８と一致するため１１８（ただし、図３では１１５としている）としている。
【００２０】
本考案のズロース型下着は、着用者として主に老年の婦人を対象としているため、着用者の着用感重視の観点から、吸水性に富み老人の肌に優しい素材を使用し作成している。また、着用者が着けることにより心が和むような色合いや、小花のプリント柄等の美観に優れた柄を有する素材から自由に選び作成できることに特徴がある。
【００２１】
図１において、股間被覆部１２０は、股間部を補強するために、ズロース型下着の裏側の着用者の肌に接する側に設けられる。前身頃部と後ろ身頃部に渡る股間部の着用者の肌に接する側に、前身頃部側と後ろ身頃部側のそれぞれに作成される。１２１は前身ごろ側股間被覆部であり、１２２（図２に示される）は後ろ身頃側股間被覆部である。なお、図１および図２の股間被覆部１２０の形状は例示であり、これに限らない。
【００２２】
図１において、レース部１３０は前身頃部１１１と後ろ身頃部１１２の縫合部分を覆い隠すために、縫合部分の上に設置される。該レースにより縫合部分は隠されるとともに、美観に富むレースの存在によりズロース全体の美観が向上し、オシャレな印象の下着になり得る。
【００２３】
図１に示すズロース型下着の形状は、太もも丈が短い形状であるがこれは例示であって、太もも丈の長さは長くてもよい。またレースの形状も例示であり、これに限らない。
【００２４】
また、一対の脚開口部１１３と、ウエスト開口部１１４は、それぞれ先端にゴム通し部を有し、ゴム通し部の中にゴムを通すことにより、開口部の大きさを調整することも可能である。１３２はウエスト開口部のゴム通し部であり、１３３は一対の脚開口部のゴム通し部である。着用者の必要に応じて開口部の大きさを調整できることで着用時の使用感が増すと思われる。
【００２５】
図２は、図１に示された本考案の老婦人用ズロース型下着の説明用概略背面図である。
図２に示される１１２は後ろ身頃部であり、１２２は着用者の肌に接する側（ズロース裏側）に設けられる、後ろ身頃側股間被覆部である。左右両脇線には前後身頃の縫合の縫い目はこない。
【００２６】
図３は、図１に示された本考案の老婦人用ズロース型下着の構成を示す説明用簡易展開図である。
【００２７】
図３に示される簡易展開図では、前身ごろ１１１に延設されて後ろ身頃部１１２が存在し、後ろ身頃部１１２の前身ごろに繋がらない側の端３１５は、脇線ではなく、脇線より７〜８ｃｍ延長する位置に配置される。また前身頃部１１１の後ろ身頃部に繋がらない側の端１１５は、前中心線と脇線の間（図１における前中間線１１８に対応する）に位置し、３１５と１１５を縫合した後、縫合の縫い目を隠すために、レースが設置される。なお、これはレース以外の素材でもよく、例えば美観を有するテープ等であってもよい。尚、図３においては、前身ごろ及び後ろ身頃部側の各股間被覆部は省略している。また、レース部１３０は、前身ごろ端１１５と後ろ身頃部端３１５とを縫合した後、縫合線の上に設置されるが、理解の容易のために、展開図上に記載したものである。
【００２８】
また本考案のズロース型下着の縫製方法については、公知の方法であるため詳細は省略する。
【産業上の利用可能性】
【００２９】
本考案により、老婦人にとって有用であり、美観にも優れたズロース型下着を提供できる。
【符号の説明】
【００３０】
１１０      ズロース型下着本体部
１１１      前身頃部
１１２      後ろ身頃部
１１３      脚開口部
１１４      ウエスト開口部
１１６      脇線
１１７      前身頃中心線
１１８      前中間線
１２０      股間被覆部
１２１      前身ごろ側股間被覆部
１２２      後ろ身頃側股間被覆部
１３０      レース部
１３２      ウエスト開口部ゴム通し部
１３３      脚開口部ゴム通し部
【図１】
0003153085.tif 000003
【図２】
0003153085.tif 000004
【図３】
0003153085.tif 000005